(57)【要約】【課題】抜去時における破損を防止する電気コネクタを提供すること。【解決手段】コネクタ装置１は、配線基板５０に電気的に接続されるリセプタクルコネクタ１０と、配線基板９０に電気的に接続されると共にリセプタクルコネクタ１０に嵌合されるプラグコネクタ７０と、を備え、リセプタクルコネクタ１０は、Ｚ方向（嵌合方向）に延びてリセプタクルコネクタ１０に対するプラグコネクタ７０の挿抜をガイドする一対のガイド部３７，３８を有し、プラグコネクタ７０は、リセプタクルコネクタ１０と嵌合した嵌合状態において一対のガイド部３７，３８間に配置される第２固定金具８０を有し、一対のガイド部３７，３８は、嵌合状態の第２固定金具８０がガイド部３７に向かって傾斜しながら抜去されることをガイドする。【選択図】図７
2019133798.tif 000002
【特許請求の範囲】
【請求項１】
第１の基板に電気的に接続される第１コネクタと、第２の基板に電気的に接続されると共に前記第１コネクタに嵌合される第２コネクタと、を備え、
前記第１コネクタは、嵌合方向に延びて前記第１コネクタに対する前記第２コネクタの挿抜をガイドする一対のガイド部を有し、
前記第２コネクタは、前記第１コネクタと嵌合した嵌合状態において前記一対のガイド部間に配置される被ガイド部を有し、
前記一対のガイド部は、前記嵌合状態において、前記被ガイド部が前記ガイド部に向かって傾斜しながら抜去されることをガイドする、電気コネクタ。
【請求項２】
前記嵌合状態において少なくとも一方の前記ガイド部の内面と前記被ガイド部の外面との間には空隙部が形成されており、
前記被ガイド部は、前記空隙部に向かう方向に変位することにより前記ガイド部に向かって傾斜する、請求項１記載の電気コネクタ。
【請求項３】
前記第１コネクタは、前記第１コネクタを前記第１の基板に固定すると共に前記一対のガイド部が形成された第１固定金具を有し、
前記第２コネクタは、前記第２コネクタを前記第２の基板に固定すると共に前記被ガイド部が形成された第２固定金具を有する、請求項１又は２記載の電気コネクタ。
【請求項４】
前記第１固定金具は、前記一対のガイド部間において前記嵌合方向に突出した凸部を有し、
前記第２固定金具は、前記凸部に係合する凹部を有する、請求項３記載の電気コネクタ。
【請求項５】
前記被ガイド部は、前記嵌合状態において、前記一対のガイド部のうち一方のガイド部に向かって傾斜可能とされており、
前記凸部は、前記嵌合方向で前記凹部と対向する面において、前記一対のガイド部のうち前記一方のガイド部寄りの領域の突出量が他方のガイド部寄りの領域の突出量よりも大きく、前記一方のガイド部寄りの領域から前記他方のガイド部寄りの領域に向けて斜面が形成されている、請求項４記載の電気コネクタ。
【請求項６】
前記被ガイド部は、前記嵌合状態において、前記一対のガイド部のうち一方のガイド部に向かって傾斜可能とされており、
前記第２固定金具は、前記凹部を区画する一対の腕部を更に有し、
前記一対の腕部は、前記嵌合状態において前記一方のガイド部に沿って延びる第１腕部と、前記嵌合状態において前記一対のガイド部のうち他方のガイド部に沿って延びる第２腕部とを有し、
前記第２腕部は、前記被ガイド部が前記一方のガイド部に向かって傾斜する際に、前記他方のガイド部に当接することにより、前記ガイド部に対する前記被ガイド部の傾き角度を一定の範囲内に規制する規制部を有する、請求項４又は５記載の電気コネクタ。
【請求項７】
前記第１腕部は、弾性を有しており、前記一方のガイド部との対向方向に変位可能に構成されている、請求項６記載の電気コネクタ。
【発明の詳細な説明】
【技術分野】
【０００１】
本開示は、電気コネクタに関する。
【背景技術】
【０００２】
例えば特許文献１に示すように、基板同士（基板対基板）を電気的に接続する電気コネクタが知られている。特許文献１に記載された電気コネクタでは、ガイド部を設けることによって各基板に接続された電気コネクタ同士を嵌合状態にする接続作業を容易化している。
【先行技術文献】
【特許文献】
【０００３】
【特許文献１】特開２００８−８４７９５号公報
【発明の概要】
【発明が解決しようとする課題】
【０００４】
ここで、嵌合状態のコネクタを人の手で抜去する場合等においては、例えば抜去するコネクタの一対の長辺のうち一方の辺のみを上方に引き抜く（あおり抜去を行う）ことが考えられる。この場合には、抜去時において、抜去するコネクタの一方の辺が上方に持ち上げられる分だけ他方の辺が下方に傾斜することとなり、当該他方の辺と相手方コネクタの領域とが互いに干渉し力を加え合うこととなる。このことによって、双方のコネクタが破損するおそれがある。
【０００５】
そこで、本開示は抜去時における破損を防止する電気コネクタを説明する。
【課題を解決するための手段】
【０００６】
本開示の一つの観点に係る電気コネクタは、第１の基板に電気的に接続される第１コネクタと、第２の基板に電気的に接続されると共に第１コネクタに嵌合される第２コネクタと、を備え、第１コネクタは、嵌合方向に延びて第１コネクタに対する第２コネクタの挿抜をガイドする一対のガイド部を有し、第２コネクタは、第１コネクタと嵌合した嵌合状態において一対のガイド部間に配置される被ガイド部を有し、一対のガイド部は、嵌合状態において、被ガイド部がガイド部に向かって傾斜しながら抜去されることをガイドする。
【０００７】
本開示に係る電気コネクタでは、第２コネクタの被ガイド部が第１コネクタのガイド部に向かって傾斜しながら第１コネクタから抜去される。例えば基板対基板接続用のコネクタでは、抜去時において垂直に引き抜くことが推奨されている。垂直に引き抜かれた場合には、抜去時において双方のコネクタが干渉しない（あるいはしにくい）ため、双方のコネクタに過度な力が加わることを抑制できる。しかしながら、人の手で抜去する場合等においては、例えば抜去するコネクタの一対の長辺のうち一方の辺のみを上方に引き抜く（あおり抜去を行う）ことが考えられる。この場合には、抜去時において、抜去するコネクタの一方の辺が上方に持ち上げられる分だけ他方の辺が下方に傾斜することとなり、当該他方の辺と相手方コネクタとが互いに干渉し力を加え合うこととなる。このことによって、双方のコネクタが破損するおそれがある。この点、上述したように、本開示に係る電気コネクタでは、第１コネクタのガイド部が、嵌合状態の被ガイド部がガイド部に向かって傾斜しながら抜去される。すなわち、本開示に係る電気コネクタでは、あおり抜去等によって傾斜した状態の被ガイド部の抜去が円滑に行われるように第１コネクタに一対のガイド部が設けられている。このことで、従来、あおり抜去を行う際に問題となっていた双方のコネクタ間の干渉を理由としたコネクタの破損を抑制することができる。
【０００８】
上述した電気コネクタでは、嵌合状態において少なくとも一方のガイド部の内面と被ガイド部の外面との間には空隙部が形成されており、被ガイド部は、空隙部に向かう方向に変位することによりガイド部に向かって傾斜してもよい。このように、被ガイド部がガイド部に向かって傾斜するように抜去される際に被ガイド部を逃がす空隙部が形成されていることによって、あおり抜去を行う際の双方のコネクタ間の干渉をより効果的に抑制することができる。
【０００９】
第１コネクタは、第１コネクタを第１の基板に固定すると共に一対のガイド部が形成された第１固定金具を有し、第２コネクタは、第２コネクタを第２の基板に固定すると共に被ガイド部が形成された第２固定金具を有していてもよい。ガイド部及び被ガイド部が金属製の部材（固定金具）に形成されていることにより、これらの強度を上げることができ、抜去時においてこれらが互いに干渉した場合においてもコネクタが破損することを抑制することができる。
【００１０】
第１固定金具は、一対のガイド部間において嵌合方向に突出した凸部を有し、第２固定金具は、凸部に係合する凹部を有していてもよい。これにより、第１コネクタ及び第２コネクタの嵌合時において嵌合力を向上させることができる。
【００１１】
被ガイド部は、嵌合状態において、一対のガイド部のうち一方のガイド部に向かって傾斜可能とされており、凸部は、嵌合方向で凹部と対向する面において、一対のガイド部のうち一方のガイド部寄りの領域の突出量が他方のガイド部寄りの領域の突出量よりも大きく、一方のガイド部寄りの領域から他方のガイド部寄りの領域に向けて斜面が形成されていてもよい。凸部にこのような斜面が形成されることにより、凸部と凹部とが係合した状態において、凸部における他方のガイド部寄りの領域（すなわち凸部における、被ガイド部が傾斜する方向の一方のガイド部の反対側のガイド部寄りの領域）と、凹部における凸部との対向面との間には隙間が生じることとなる。このことにより、抜去時において凸部における一方のガイド部寄りの領域（突出量が大きい領域）を凹部の対向面と当接させて該当接面を支点として被ガイド部を一方のガイド部に向かって傾斜させることになるので、被ガイド部の凹部が、凸部における他方のガイド部寄りの領域を乗り越えやすい構成とすることができる。すなわち、あおり抜去を行う際において、傾斜した状態の被ガイド部の抜去をより容易に行うことができる。
【００１２】
被ガイド部は、嵌合状態において、一対のガイド部のうち一方のガイド部に向かって傾斜可能とされており、第２固定金具は、凹部を区画する一対の腕部を更に有し、一対の腕部は、嵌合状態において一方のガイド部に沿って延びる第１腕部と、嵌合状態において一対のガイド部のうち他方のガイド部に沿って延びる第２腕部とを有し、第２腕部は、被ガイド部が一方のガイド部に向かって傾斜する際に、他方のガイド部に当接することにより、ガイド部に対する被ガイド部の傾き角度を一定の範囲内に規制する規制部を有していてもよい。このように、抜去時において被ガイド部の規制部が、傾斜する方向の一方のガイド部の反対側（他方）のガイド部に当接し傾斜角度が限定されることになるので、被ガイド部が過度に傾斜することによって他の部材等が破損することを効果的に抑制することができる。
【００１３】
第１腕部は、弾性を有しており、一方のガイド部との対向方向に変位可能に構成されていてもよい。これにより、抜去時において被ガイド部をより容易に一方のガイド部方向に傾斜させることができる。
【発明の効果】
【００１４】
本開示によれば、抜去時においてコネクタが破損することを防止することができる。
【図面の簡単な説明】
【００１５】
【図１】図１は、本実施形態に係るコネクタ装置（電気コネクタ）の斜視図である。
【図２】図２は、コネクタ装置に含まれるリセプタクルコネクタを示す図であり、（ａ）は斜視図、（ｂ）は平面図、（ｃ）は底面図である。
【図３】図３は、リセプタクルコネクタの固定金具を示す図であり、（ａ）は斜視図、（ｂ）は平面図、（ｃ）は底面図、（ｄ）は側面図、（ｅ）は（ｄ）において二点鎖線で示した領域の一部拡大図である。
【図４】図４は、コネクタ装置に含まれるプラグコネクタを示す図であり、（ａ）は斜視図、（ｂ）は平面図、（ｃ）は底面図である。
【図５】図５は、プラグコネクタの固定金具を示す図であり、（ａ）は斜視図、（ｂ）は平面図、（ｃ）は底面図、（ｄ）は側面図である。
【図６】図６は、嵌合状態のコネクタ装置を示す図であり、（ａ）は平面図、（ｂ）は（ａ）のｂ−ｂ線に沿った断面図、（ｃ）は（ａ）のｃ−ｃ線に沿った断面図である。
【図７】図７は、図６（ｃ）の状態からコネクタを抜去させた時のコネクタ装置を示す断面図である。
【発明を実施するための形態】
【００１６】
以下、本開示に係る実施形態について図面を参照しつつ詳細に説明する。説明において、同一要素又は同一機能を有する要素には同一の符号を付し、重複する説明を省略する。なお、以下に説明される本開示に係る実施形態は本発明を説明するための例示であるので、本発明は以下の内容に限定されるべきではない。
【００１７】
（コネクタ装置の概要）
図１を参照して、コネクタ装置１（電気コネクタ）の概要について説明する。図１に示すように、コネクタ装置１は、配線基板５０（第１の基板。図６（ｂ）参照）に電気的に接続されるリセプタクルコネクタ１０（第１コネクタ）と、配線基板９０（第２の基板。図６（ｂ）参照）に電気的に接続されるプラグコネクタ７０（第２コネクタ）と、を備える。コネクタ装置１では、リセプタクルコネクタ１０とプラグコネクタ７０とが嵌合することにより、配線基板５０と配線基板９０とが電気的に接続される。このように、コネクタ装置１は、配線基板５０，９０同士を互いに接続する、いわゆる基板対基板接続用のための電気コネクタである。
【００１８】
配線基板５０（図６（ｂ）参照）は、半田接続等によりリセプタクルコネクタ１０を実装している。配線基板９０（図６（ｂ）参照）は、半田接続等によりプラグコネクタ７０を実装している。配線基板５０，９０としては、電子回路を搭載する各種の基板、例えばプリント配線基板又はＦＰＣ（Flexible Printed Circuits）等を用いることができる。
【００１９】
以下の説明においては、リセプタクルコネクタ１０及びプラグコネクタ７０の嵌合方向を「Ｚ方向」、Ｚ方向に交差する方向である、リセプタクルコネクタ１０及びプラグコネクタ７０の長手方向を「Ｙ方向」、Ｚ方向及びＹ方向に交差する方向である、リセプタクルコネクタ１０及びプラグコネクタ７０の幅方向を「Ｘ方向」として説明する場合がある。
【００２０】
（リセプタクルコネクタ）
次に、図２（ａ）〜（ｃ）を参照して、リセプタクルコネクタ１０の詳細について説明する。なお、リセプタクルコネクタ１０の説明において、Ｚ方向における、リセプタクルコネクタ１０を基準とした配線基板５０側（図６（ｂ）参照）を「下」その反対側を「上」として説明する場合がある。リセプタクルコネクタ１０は、図２（ａ）〜（ｃ）に示すように、ハウジング１１と、複数の導電端子１２と、第１固定金具３０とを有する。
【００２１】
ハウジング１１は、樹脂を含んだ絶縁材料で構成されている。ハウジング１１は、所定方向に延びる略直方体形状を呈している。ハウジング１１は、底壁部１３と、側壁部１４〜１７と、中央壁部１８とを有する。
【００２２】
底壁部１３は、略矩形状を呈する板状体である。底壁部１３は、導電端子１２が設けられた領域において、導電端子１２の形状に応じた大きさの貫通孔を有する。すなわち、底壁部１３には、Ｚ方向に貫通する貫通孔が、導電端子１２の数だけ形成されている。
【００２３】
側壁部１４〜１７はそれぞれ、底壁部１３から立設するように底壁部１３上に設けられている。側壁部１４，１５はそれぞれ、底壁部１３の各長辺近傍に位置し当該長辺に沿ってＹ方向に延びている。側壁部１６，１７はそれぞれ、底壁部１３の各短辺近傍に位置し当該短辺に沿ってＸ方向に延びている。そのため、側壁部１４，１５同士はＸ方向において互いに対向しており、側壁部１６，１７同士はＹ方向において互いに対向している。
【００２４】
中央壁部１８は、底壁部１３から立設するように底壁部１３上に設けられている。中央壁部１８は、側壁部１４〜１７から離間した状態で、側壁部１４〜１７に囲まれる空間内に位置している。中央壁部１８は、側壁部１４，１５間において、側壁部１４，１５に沿って（側壁部１４，１５の延在方向であるＹ方向に）延びている。そのため、中央壁部１８は、Ｘ方向において側壁部１４，１５と対向している。
【００２５】
ハウジング１１は更に、四角環状を呈したへこみ状の収容凹部Ｖを有する。収容凹部Ｖは、プラグコネクタ７０を収容する空間であり、一対の凹部Ｖ１，Ｖ２を有する。一対の凹部Ｖ１，Ｖ２は、側壁部１４，１５と、底壁部１３と、中央壁部１８とにより区画される領域である。一対の凹部Ｖ１，Ｖ２は、後述するプラグコネクタ７０の一対の凸部Ｗ１，Ｗ２（図４（ａ）参照）をそれぞれ収容する。より詳細には、凹部Ｖ１は、側壁部１４と、底壁部１３と、中央壁部１８とにより囲まれる空間によって形成されている。凹部Ｖ２は、側壁部１５と、底壁部１３と、中央壁部１８とにより囲まれる空間によって形成されている。
【００２６】
複数の導電端子１２（本実施形態では１５個の導電端子１２）は、凹部Ｖ１を形成する内面に沿って設けられており（図６（ｂ）参照）、後述するプラグコネクタ７０の凸部Ｗ１（図４（ａ）参照）の外縁に沿って設けられた導電端子７２（図４（ａ）参照）を挟み込むようにして、導電端子７２と接触可能に構成されている。凹部Ｖ２を形成する内面にも同様に複数の導電端子１２（本実施形態では１５個の導電端子１２）が設けられており、これらの導電端子１２は、後述するプラグコネクタ７０の凸部Ｗ２（図４（ａ）参照）の外縁に沿って設けられた導電端子７２（図４（ａ）参照）を挟み込むようにして、導電端子７２と接触可能に構成されている。凹部Ｖ１の内方に設けられた導電端子１２と、凹部Ｖ２の内方に設けられた導電端子１２とは、互いに同様の構成であるので、以下では、凹部Ｖ１の内方に設けられた導電端子１２について説明し、凹部Ｖ２の内方に設けられた導電端子１２の説明を省略する。
【００２７】
導電端子１２は、板状の導電材料（例えば金属部材）によって構成されている。導電端子１２は、基端部１２ａと、中間部１２ｂと、接触部１２ｃとを有する（図２（ａ）〜（ｃ）、及び図６（ｂ）参照）。基端部１２ａは、底壁部１３の近傍に位置しており、側壁部１４から外方に向けてＸ方向に延びている。基端部１２ａは、リセプタクルコネクタ１０が配線基板５０に実装される際に、配線基板５０の電極（図示せず）と半田等によって接続される。中間部１２ｂは、基端部１２ａに連続すると共に、上方に向けて側壁部１４に沿ってＺ方向に延びている。中間部１２ｂは、側壁部１４に形成された溝に対し圧入によって固定される部分である。接触部１２ｃは、中間部１２ｂに連続すると共に、凹部Ｖ１の内方に設けられ、プラグコネクタ７０の導電端子７２の接触部７２ｂ（図４（ａ）及び図６（ｂ）参照）と接触する部分である。接触部１２ｃにおける中間部１２ｂに連続する端部と反対の端部は、中央壁部１８の近傍に位置しており、より詳細には中央壁部１８の上端付近に位置している。図６（ｂ）に示すように、接触部１２ｃは、少なくとも、中央壁部１８に近接した第１接点１２ｘ及び中間部１２ｂに連続される側壁部１４に近接した第２接点１２ｙの２箇所で、プラグコネクタ７０の接触部７２ｂと接触している。
【００２８】
第１固定金具３０は、図２（ａ）〜図２（ｃ）及び図３（ａ）〜図３（ｅ）に示すように、リセプタクルコネクタ１０を配線基板５０に固定する導電性の部材である。第１固定金具３０は、例えば薄板状の金属部材によって構成されている。第１固定金具３０は、プラグコネクタ７０を配線基板９０に固定する第２固定金具８０（図４（ａ）参照）と接触し、該第２固定金具８０と電気的に接続される。第１固定金具３０は、ハウジング１１のＹ方向の両端部である側壁部１６，１７に沿って設けられている。側壁部１６，１７に沿って設けられた第１固定金具３０，３０の構成は互いに同じであるので、以下では、側壁部１６に沿って設けられた第１固定金具３０について説明し、側壁部１７に沿って設けられた第１固定金具３０の説明を省略する。
【００２９】
第１固定金具３０は、図３（ａ）〜図３（ｅ）に示すように、側壁部３１，３２，３３と、接続部３４，３５とを有する。側壁部３１，３２，３３はそれぞれ、底壁部１３から立設するように底壁部１３上に設けられている。側壁部３１は、側壁部１６の内面に沿うように設けられており、側壁部１６と同様にＺ方向及びＸ方向に延びている（図２（ａ）及び図２（ｂ）参照）。側壁部３２，３３は、側壁部３１のＸ方向両端に連続しており、側壁部１４，１５の内面に沿うようにＺ方向及びＹ方向に延びている（図２（ａ）及び図２（ｂ）参照）。接続部３４は、側壁部３２の下端に連続して設けられており、側壁部３２の下端から外方に向けてＸ方向に延びている。接続部３５は、側壁部３３の下端に連続して設けられており、側壁部３３の下端から外方に向けてＸ方向に延びている。接続部３４，３５は、リセプタクルコネクタ１０が配線基板５０に実装される際に、配線基板５０の電極（図示せず）と半田等によって接続される。
【００３０】
側壁部３１は、基部３６と、一対のガイド部３７，３８と、凸部３９とを有する。基部３６は、底壁部１３から立設するように上方に延びる部分である。一対のガイド部３７，３８は、基部３６の上端のＸ方向両端から上方に延びる部分である。一対のガイド部３７，３８は、リセプタクルコネクタ１０に対するプラグコネクタ７０の挿抜をガイドする部分である。ガイド部３７（一方のガイド部）は、上方に向かうにつれて幅（Ｘ方向の長さ）が小さくなる（先細りする）ように形成されている。詳細には、ガイド部３７は、図３（ｄ）に示すように、基部３６の上端に連続すると共に一定の幅で上方に延びる第１部分３７ａと、第１部分３７ａの上端に連続すると共に上方に向かうにつれて幅が小さくなる第２部分３７ｂと、第２部分３７ｂの上端に連続すると共に一定の幅で上方に延びる第３部分３７ｃとを有する。第１部分３７ａよりも幅が狭い第３部分３７ｃは、Ｘ方向において、接続部３４寄りに位置するように設けられている。このため、第１部分３７ａの上方（第３部分３７ｃのＸ方向内側）には空間３７ｄが形成されている。
【００３１】
凸部３９は、一対のガイド部３７，３８間において上方に突出した部分である。すなわち、凸部３９は、Ｘ方向において一対のガイド部３７，３８に挟まれる位置において、基部３６の上端から上方（Ｚ方向）に延びる部分である。凸部３９の突出量（上方に延びる長さ）は、一対のガイド部３７，３８の突出量（Ｚ方向の長さ）よりも小さい（短い）。凸部３９は、図３（ｄ）及び図３（ｅ）に示すように、基部３６の上端に連続する第１部分３９ａと、第１部分３９ａの上端に連続する第２部分３９ｂとを有する。第２部分３９ｂは、第１部分３９ａよりも幅（Ｘ方向の長さ）が大きく（長く）なるように形成されている。すなわち、第２部分３９ｂは、第１部分３９ａよりもＸ方向外方に張り出している。当該第２部分３９ｂの下面（Ｘ方向に張り出した部分）に、後述するプラグコネクタ７０の第２固定金具８０を係合させることにより（図６（ｃ）参照）、リセプタクルコネクタ１０とプラグコネクタ７０とを強固に嵌合させることができる。図３（ｄ）及び図３（ｅ）に示すように、凸部３９は、一対のガイド部３７，３８のうち一方のガイド部３７寄りの領域のＺ方向における突出量が他方のガイド部３８寄りの領域のＺ方向における突出量よりも大きくされている。これによって、凸部３９の上面には、一方のガイド部３７寄りの領域から他方のガイド部３８寄りの領域に向かうにつれて下方に傾斜する斜面が形成されている。
【００３２】
（プラグコネクタ）
次に、図４（ａ）〜図４（ｃ）を参照して、プラグコネクタ７０の詳細について説明する。プラグコネクタ７０は、ハウジング７１と、複数の導電端子７２と、第２固定金具８０とを有する。
【００３３】
ハウジング７１は、樹脂を含んだ絶縁材料で構成されており、所定方向に延びる略直方体形状を呈している。ハウジング７１は、底壁部７３と、側壁部７４〜７７とを有する。底壁部７３は、略矩形状を呈する板状体である。
【００３４】
側壁部７４〜７７はそれぞれ、底壁部７３から立設するように設けられている。側壁部７４，７５はそれぞれ、底壁部７３の各長辺近傍に位置し、当該長辺に沿ってＹ方向に延びている。側壁部７６，７７はそれぞれ、底壁部７３の各短辺近傍に位置し、当該短辺に沿ってＸ方向に延びている。そのため、側壁部７４，７５同士は互いに対向しており、側壁部７６，７７同士は互いに対向している。側壁部７４〜７７は、プラグコネクタ７０がリセプタクルコネクタ１０と嵌合する際に、リセプタクルコネクタ１０の収容凹部Ｖ内に収容される。そのため、側壁部７４〜７７は、全体として突出状を呈する嵌合凸部Ｗを構成している。側壁部７４，７５は、一対の凸部Ｗ１，Ｗ２を構成し、一対の凹部Ｖ１，Ｖ２に収容される。すなわち、凸部Ｗ１を構成する側壁部７４は、凹部Ｖ１に収容され、凸部Ｗ２を構成する側壁部７５は、凹部Ｖ２に収容される（図６（ｂ）参照）。四角筒状を呈する嵌合凸部Ｗの内部空間には、プラグコネクタ７０がリセプタクルコネクタ１０と嵌合する際に、リセプタクルコネクタ１０の中央壁部１８が収容される。
【００３５】
複数の導電端子７２（本実施形態では１５個の導電端子７２）は、凸部Ｗ１を構成する側壁部７４の外縁に沿って設けられている。そのため、側壁部７４には複数の導電端子７２がＹ方向に一列に並んでいる。凸部Ｗ２を構成する側壁部７５にも同様に複数の導電端子７２（本実施形態では１５個の導電端子７２）が取り付けられている。これらの導電端子７２の構成は同じであるので、以下では、側壁部７４における導電端子７２について説明し、側壁部７５における導電端子７２の説明を省略する。
【００３６】
導電端子７２は、板状の導電材料（例えば金属部材）によって構成されている。導電端子７２は、基端部７２ａと、接触部７２ｂとを有する（図４（ａ）〜（ｃ）、及び図６（ｂ）参照）。基端部７２ａは、側壁部７４から外方に向けてＸ方向に延びている。基端部７２ａは、プラグコネクタ７０が配線基板９０に実装される際に、配線基板９０の電極（図示せず）と半田等によって接続される。接触部７２ｂは、基端部７２ａにおける側壁部７４の内面を向いた端部に連続すると共に、側壁部７４の内面に沿って延びており、リセプタクルコネクタ１０の導電端子１２の接触部１２ｃと接触する部分である。図６（ｂ）に示すように、接触部７２ｂは、側壁部７４の形状に沿うようにして内面から外面に延びており、側壁部７４の内面に近接した第１接点７２ｘ及び外面に近接した第２接点７２ｙの２箇所で、リセプタクルコネクタ１０の導電端子１２の接触部１２ｃと接触可能に配置されている。より詳細には、第１接点７２ｘは接触部１２ｃの第１接点１２ｘと接触可能に配置され、第２接点７２ｙは接触部１２ｃの第２接点１２ｙと接触可能に配置される。
【００３７】
第２固定金具８０は、図４（ａ）〜図４（ｃ）及び図５（ａ）〜図５（ｄ）に示すように、プラグコネクタ７０を配線基板９０に固定する導電性の部材である。第２固定金具８０は、例えば薄板状の金属部材によって構成されている。第２固定金具８０は、第１固定金具３０（図２（ａ）参照）と接触し、該第１固定金具３０と電気的に接続される。第２固定金具８０は、ハウジング７１のＹ方向の両端部である側壁部７６，７７に沿って設けられている。第２固定金具８０は、プラグコネクタ７０がリセプタクルコネクタ１０と嵌合した状態において、リセプタクルコネクタ１０の一対のガイド部３７，３８間に配置される被ガイド部である（図６（ｃ）参照）。側壁部７６，７７に沿って設けられた第２固定金具８０，８０の構成は互いに同じであるので、以下では、側壁部７６に沿って設けられた第２固定金具８０について説明し、側壁部７７に沿って設けられた第２固定金具８０の説明を省略する。
【００３８】
第２固定金具８０は、図５（ａ）〜図５（ｄ）に示すように、底部８１と、側壁部８２，８３，８４と、接続部８５，８６とを有する。底部８１は、略矩形状を呈する板状部分であり、側壁部７６の底面に接する部分である（図４（ｃ）参照）。側壁部８２，８３，８４はそれぞれ、底部８１から立設するようにＺ方向に延びている。側壁部８２は、底部８１のＹ方向の一方の端部（外端）に連続すると共に側壁部７６の外面に沿うようにＺ方向及びＸ方向に延びている（図４（ａ）参照）。側壁部８３，８４は、底部８１のＹ方向の他方の端部（内端）におけるＸ方向両端部分に連続すると共に側壁部７６の内面に沿うようにＺ方向及びＸ方向に延びている（図４（ａ）参照）。側壁部８２と側壁部８３，８４とはＹ方向において対向している。接続部８５は、側壁部８３のＺ方向端部（底部８１近傍の端部）に連続して設けられており、側壁部８３と連続する部分から外方に向けてＸ方向に延びている（図４（ｂ）参照）。接続部８６は、側壁部８４のＺ方向端部（底部８１近傍の端部）に連続して設けられており、側壁部８４と連続する部分から外方に向けてＸ方向に延びている（図４（ａ）参照）。接続部８５，８６は、プラグコネクタ７０が配線基板９０に実装される際に、配線基板９０の電極（図示せず）と半田等によって接続される。
【００３９】
側壁部８２は、図５（ａ）及び図５（ｄ）に示すように、基部８７と、一対の腕部８８，８９とを有する。基部８７は、底部８１から立設するようにＺ方向に延びる部分である。一対の腕部８８，８９は、基部８７のＺ方向端部（Ｚ方向における、底部８１に連続する端部と反対の端部）のＸ方向両端から、さらにＺ方向（底部８１から離間する方向）に延びる部分である。図６（ｃ）に示すように、リセプタクルコネクタ１０とプラグコネクタ７０との嵌合状態において、腕部８８（第１腕部）はリセプタクルコネクタ１０のガイド部３７に沿ってＺ方向に延び、腕部８９（第２腕部）はリセプタクルコネクタ１０のガイド部３８に沿ってＺ方向に延びる。一対の腕部８８，８９は、リセプタクルコネクタ１０の凸部３９に係合する凹部１００を区画する。すなわち、凹部１００は、一対の腕部８８，８９間に形成される領域である。
【００４０】
腕部８８は、図５（ａ）、図５（ｄ）及び図６（ｃ）に示すように、基部８７に連続すると共に基部８７から離間するにつれて幅（Ｘ方向の長さ）が小さくなる（先細りする）第１部分８８ａと、第１部分８８ａに連続すると共に一定の幅でＺ方向（基部８７から離間する方向）に延びる第２部分８８ｂと、第２部分８８ｂのＺ方向端部（Ｚ方向における、第１部分８８ａに連続する端部と反対の端部）から対向する腕部８９に向かってＸ方向に延びる（拡大する）第３部分８８ｃとを有する。先細りする第１部分８８ａが設けられていることによって、図６（ｃ）に示すように、リセプタクルコネクタ１０とプラグコネクタ７０との嵌合状態において、腕部８８（詳細には第２部分８８ｂ）の外面とガイド部３７の内面との間には隙間である空隙部１２０が形成される。また、図６（ｃ）に示すように、リセプタクルコネクタ１０とプラグコネクタ７０との嵌合状態において、第３部分８８ｃはリセプタクルコネクタ１０の第２部分３９ｂの下面と係合する。
【００４１】
腕部８９は、図５（ａ）、図５（ｄ）及び図６（ｃ）に示すように、基部８７に連続すると共に基部８７から離間するにつれて幅（Ｘ方向の長さ）が小さくなる（先細りする）第１部分８９ａと、該第１部分８９ａのＺ方向端部（Ｚ方向における、基部８７に連続する端部と反対の端部）から対向する腕部８８に向かってＸ方向に延びる（拡大する）第２部分８９ｂとを有する。図６（ｃ）に示すように、第１部分８９ａが先細りとなっていることにより、リセプタクルコネクタ１０とプラグコネクタ７０との嵌合状態において、第１部分８９ａの外面とガイド部３８の内面との間には、腕部８９におけるＺ方向端部（第２部分８９ｂが設けられた端部）に向かうにつれて領域が大きくなる空間８９ｃが形成されている。また、図６（ｃ）に示すように、リセプタクルコネクタ１０とプラグコネクタ７０との嵌合状態において、第２部分８９ｂはリセプタクルコネクタ１０の第２部分３９ｂの下面と係合する。
【００４２】
（コネクタ嵌合状態）
次に、図６を参照して、リセプタクルコネクタ１０及びプラグコネクタ７０の嵌合状態について説明する。
【００４３】
嵌合状態においては、図６（ｂ）に示すように、リセプタクルコネクタ１０の収容凹部Ｖに、プラグコネクタ７０の側壁部７４〜７７から構成される嵌合凸部Ｗが収容される。具体的には、凹部Ｖ１に凸部Ｗ１が収容され、凹部Ｖ２に凸部Ｗ２が収容される。この状態において、リセプタクルコネクタ１０の導電端子１２とプラグコネクタ７０の導電端子７２とが接触して互いに電気的に接続される。具体的には、導電端子１２は、接触部１２ｃの第１接点１２ｘにおいて導電端子７２の接触部７２ｂの第１接点７２ｘと接触すると共に、接触部１２ｃの第２接点１２ｙにおいて導電端子７２の接触部７２ｂの第２接点７２ｙと接触する。
【００４４】
また、嵌合状態においては、図６（ｃ）に示すように、リセプタクルコネクタ１０の第１固定金具３０の一対のガイド部３７，３８間に、プラグコネクタ７０の第２固定金具８０が配置され、第１固定金具３０と第２固定金具８０とが互いに接触する。さらに、嵌合状態においては、図６（ｃ）に示すように、第１固定金具３０の凸部３９と第２固定金具８０の凹部１００とが係合している。具体的には、凸部３９の第２部分３９ｂの下面と、第２固定金具８０の腕部８８の第３部分８８ｃ及び腕部８９の第２部分８９ｂとが係合している。なお、嵌合状態においても、第１固定金具３０と第２固定金具８０との間には、互いに接していない部分（空間）が形成されている。具体的には、ガイド部３７の内面と腕部８８の外面との間には空隙部１２０が形成されており、ガイド部３７の第１部分３７ａの上方には空間３７ｄが形成されており、第１部分８９ａの外面とガイド部３８の内面との間には空間８９ｃが形成されている。嵌合状態においては、ガイド部３８の上端部分の内面が基部８７の外面に接しており、第２固定金具８０がガイド部３８方向に向かって傾斜することができないのに対して、上述した空隙部１２０及び空間３７ｄが形成されていることによって第２固定金具８０がガイド部３７に向かって傾斜可能とされている（詳細は後述）。すなわち、空隙部１２０等が形成されていることにより、第２固定金具８０は、一対のガイド部３７，３８のうちガイド部３７に向かって傾斜可能とされている。
【００４５】
（コネクタ抜去動作時の状態）
次に、図７を参照して、コネクタ抜去動作時のコネクタの状態について説明する。ここで説明するコネクタ抜去動作とは、リセプタクルコネクタ１０に嵌合するプラグコネクタ７０をリセプタクルコネクタ１０から抜去する動作をいい、より詳細には、例えば人の手等によって、プラグコネクタ７０を実装する配線基板９０ごと上方に引き抜くことによりプラグコネクタ７０を抜去する動作をいう。このようにしてプラグコネクタ７０を抜去する場合においては、プラグコネクタ７０の長辺の一方の辺（例えば側壁部７４）が上方に引き抜かれる（あおり抜去が行われる）場合がある。以下では、あおり抜去が行われる場合について、本実施形態のコネクタ装置１の状態を説明する。
【００４６】
コネクタ抜去動作時においては、図７に示すように、配線基板９０が斜め上方に引き上げられる。これにより、配線基板９０に実装されたプラグコネクタ７０の第２固定金具８０は、空隙部１２０に向かう方向に変位しながらガイド部３７方向に傾斜する。具体的には、第２固定金具８０は、凸部３９の第２部分３９ｂの下面と係合する腕部８８の第３部分８８ｃを支点としてガイド部３７に向かって傾斜（回転）する。このように第２固定金具８０が傾斜した場合であっても、腕部８８を逃がすための空隙部１２０、及び、基部８７を逃がすための空間３７ｄが形成されているため、第２固定金具８０の変位が妨げられない。また、少なくとも腕部８８が弾性を有し、ガイド部３７との対向方向に変位可能とされている。このことにより、腕部８８の第３部分８８ｃを支点として第２固定金具８０を円滑に傾斜させることができる。また、凸部３９の上面には、一方のガイド部３７寄りの領域から他方のガイド部３８寄りの領域に向かうにつれて下方に傾斜する斜面が形成されており、ガイド部３８寄りの領域においてはＺ方向の突出量が小さくされている。これにより、第２固定金具８０が腕部８８の第３部分８８ｃを支点として回転する際に、凹部１００を区画する腕部８９が凸部３９を乗り越えやすい構成とすることができる。このようにして、一対のガイド部３７，３８は、嵌合状態の第２固定金具８０がガイド部３７に向かって傾斜しながら抜去されることをガイドする。なお、腕部８９は、第２固定金具８０が所定角度以上傾斜した場合に、その外面がガイド部３８の内面に当接するように形成されている。すなわち、腕部８９は、第２固定金具８０の傾き角度を一定の範囲内に規制する規制部として機能する。
【００４７】
（作用効果）
次に、上述したコネクタ装置１（電気コネクタ）の作用効果について説明する。
【００４８】
コネクタ装置１は、配線基板５０に電気的に接続されるリセプタクルコネクタ１０と、配線基板９０に電気的に接続されると共にリセプタクルコネクタ１０に嵌合されるプラグコネクタ７０と、を備え、リセプタクルコネクタ１０は、Ｚ方向（嵌合方向）に延びてリセプタクルコネクタ１０に対するプラグコネクタ７０の挿抜をガイドする一対のガイド部３７，３８を有し、プラグコネクタ７０は、リセプタクルコネクタ１０と嵌合した嵌合状態において一対のガイド部３７，３８間に配置される第２固定金具８０を有し、一対のガイド部３７，３８は、嵌合状態の第２固定金具８０がガイド部３７に向かって傾斜しながら抜去されることをガイドする。
【００４９】
コネクタ装置１では、プラグコネクタ７０の第２固定金具８０がリセプタクルコネクタ１０のガイド部３７に向かって傾斜しながらリセプタクルコネクタ１０から抜去されるように、一対のガイド部３７，３８が第２固定金具８０をガイドする。例えば基板対基板接続用のコネクタでは、抜去時において垂直に引き抜くことが推奨されている。垂直に引き抜かれた場合には、抜去時において双方のコネクタが干渉しない（あるいはしにくい）ため、双方のコネクタに過度な力が加わることを抑制できる。しかしながら、人の手で抜去する場合等においては、例えば抜去するコネクタの一対の長辺のうち一方の辺のみを上方に引き抜く（あおり抜去を行う）ことが考えられる。この場合には、抜去時において、抜去するコネクタの一方の辺が上方に持ち上げられる分だけ他方の辺が下方に傾斜することとなり、当該他方の辺と相手方コネクタとが互いに干渉し力を加え合うこととなる。このことによって、双方のコネクタが破損するおそれがある。この点、上述したように、コネクタ装置１では、嵌合状態の第２固定金具８０がガイド部３７に向かって傾斜しながら抜去されることをリセプタクルコネクタ１０のガイド部３７，３８がガイドする。すなわち、コネクタ装置１では、あおり抜去等によって傾斜した状態の第２固定金具８０の抜去が円滑に行われるようにリセプタクルコネクタ１０に一対のガイド部３７，３８が設けられている。このことで、従来、あおり抜去を行う際に問題となっていた双方のコネクタ（リセプタクルコネクタ１０及びプラグコネクタ７０）間の干渉を理由としたコネクタの破損を抑制することができる。
【００５０】
コネクタ装置１では、嵌合状態においてガイド部３７の内面と第２固定金具８０の外面との間には隙間である空隙部１２０が形成されており、第２固定金具８０は、空隙部１２０に向かう方向に変位することによりガイド部３７に向かって傾斜する。このように、第２固定金具８０がガイド部３７に向かって傾斜するように抜去される際に第２固定金具８０を逃がす空間（隙間）である空隙部１２０が形成されていることによって、あおり抜去を行う際の双方のコネクタ間の干渉をより効果的に抑制することができる。
【００５１】
コネクタ装置１において、リセプタクルコネクタ１０は、リセプタクルコネクタ１０を配線基板５０に固定すると共に一対のガイド部３７，３８が形成された第１固定金具３０を有し、プラグコネクタ７０は、プラグコネクタ７０を配線基板９０に固定すると共に被ガイド部が形成された第２固定金具８０を有する。ガイド部及び被ガイド部が金属製の部材（固定金具）に形成されていることにより、これらの強度を上げることができ、抜去時においてこれらが互いに干渉した場合においてもコネクタが破損することを抑制することができる。
【００５２】
コネクタ装置１において、第１固定金具３０は、一対のガイド部３７，３８間においてＺ方向に突出した凸部３９を有し、第２固定金具８０は、凸部３９に係合する凹部１００を有している。これにより、リセプタクルコネクタ１０及びプラグコネクタ７０の嵌合時において嵌合力を向上させることができる。
【００５３】
コネクタ装置１では、第２固定金具８０は、嵌合状態において、一対のガイド部３７，３８のうち一方のガイド部３７に向かって傾斜可能とされており、凸部３９は、Ｚ方向で凹部１００と対向する面において、一対のガイド部３７，３８のうち一方のガイド部３７寄りの領域の突出量が他方のガイド部３８寄りの領域の突出量よりも大きく、一方のガイド部３７寄りの領域から他方のガイド部３８寄りの領域に向けて斜面が形成されている。凸部３９にこのような斜面が形成されることにより、凸部３９と凹部１００とが係合した状態において、凸部３９における他方のガイド部３８寄りの領域（すなわち凸部３９における、第２固定金具８０が傾斜する方向の一方のガイド部３７の反対側のガイド部３８寄りの領域）と、凹部１００における凸部３９との対向面との間には隙間が生じることとなる。このことにより、抜去時において凸部３９における一方のガイド部３７寄りの領域（突出量が大きい領域）を凹部１００の対向面と当接させて該当接面を支点として第２固定金具８０を一方のガイド部３７に向かって傾斜させることになるので、凹部１００が、凸部３９における他方のガイド部３８寄りの領域を乗り越えやすい構成とすることができる。すなわち、あおり抜去を行う際において、傾斜した状態の被ガイド部の抜去をより容易に行うことができる。
【００５４】
コネクタ装置１において、第２固定金具８０は、凹部１００を区画する一対の腕部８８，８９を更に有し、一対の腕部８８，８９は、嵌合状態において一方のガイド部３７に沿って延びる腕部８８と、嵌合状態において他方のガイド部３８に沿って延びる腕部８９とを有し、腕部８９は、第２固定金具８０が一方のガイド部３７に向かって傾斜する際に、他方のガイド部３８に当接することにより、第２固定金具８０の傾き角度を一定の範囲内に規制する規制部として機能する。このように、抜去時において第２固定金具８０の腕部８９が、傾斜する方向の一方のガイド部３７の反対側（他方）のガイド部３８に当接し傾斜角度が限定されることになるので、第２固定金具８０が過度に傾斜することによって他の部材等が破損することを効果的に抑制することができる。
【００５５】
コネクタ装置１において、腕部８８は、弾性を有しており、一方のガイド部３７との対向方向に変位可能に構成されている。これにより、抜去時において腕部８８の第３部分８８ｃを支点として第２固定金具８０を円滑に傾斜させることができる。すなわち、第２固定金具８０をより容易に一方のガイド部３７方向に傾斜させることができる。
【００５６】
以上、実施形態について説明したが、本発明は上記実施形態に限定されるものではない。例えば、嵌合状態においてガイド部３７の内面と第２固定金具８０の外面との間には空隙部１２０が形成されており、第２固定金具８０は、空隙部１２０方向に変位することによりガイド部３７に向かって傾斜する、として説明したがこれに限定されない。すなわち、ガイド部及び被ガイド部の少なくともいずれか一方がばね性を有することによって、被ガイド部がガイド部に向かって傾斜することが許容されるものであってもよい。また、篏合状態において、第２固定金具８０が一方のガイド部３７に向かって傾斜可能であるとして説明したがこれに限定されず、被ガイド部は一対のガイド部の双方に向かって傾斜できるものであってもよい。
【符号の説明】
【００５７】
１…コネクタ装置（電気コネクタ）、１０…リセプタクルコネクタ（第１コネクタ）、３０…第１固定金具、３７，３８…ガイド部、３９…凸部、５０…配線基板（第１の基板）、７０…プラグコネクタ（第２コネクタ）、８０…第２固定金具（被ガイド部）、８８…腕部（第１腕部）、８９…腕部（第２腕部，規制部）、９０…配線基板（第２の基板）、１００…凹部、１２０…空隙部。
【図１】
2019133798.tif 000003
【図２】
2019133798.tif 000004
【図３】
2019133798.tif 000005
【図４】
2019133798.tif 000006
【図５】
2019133798.tif 000007
【図６】
2019133798.tif 000008
【図７】
2019133798.tif 000009